(57)【要約】【課題】  境界杭の大きさに影響されにくく、また境界杭を加工することなく地中から境界杭の引き抜きを容易にする。【解決手段】  長手方向に段差を有する境界杭をスコップを用いて地中から引き抜くためにスコップに取り付けられる引抜補助具であって、スコップのスコップ本体の取手側端縁部に係止可能に、スコップに取り付けられるブレード部を備え、ブレード部は、大きさの異なる複数の境界杭のそれぞれをそれぞれ係止可能な複数の切欠部、または大きさの異なる境界杭のそれぞれを係止可能な少なくとも一つの切欠部を備える。【選択図】  図１
2011246980.tif 000002
【特許請求の範囲】
【請求項１】
長手方向に段差を有する境界杭をスコップを用いて地中から引き抜くために前記スコップに取り付けられる引抜補助具であって、
前記スコップのスコップ本体の取手側端縁部に係止可能に、前記スコップに取り付けられるブレード部を備え、前記ブレード部は、大きさの異なる複数の前記境界杭のそれぞれを係止可能な複数の切欠部、または大きさの異なる前記境界杭のそれぞれを係止可能な少なくとも一つの切欠部を備えることを特徴とする引抜補助具。
【請求項２】
長手方向に段差を有する境界杭をスコップを用いて地中から引き抜くために前記スコップに取り付けられる引抜補助具であって、
前記スコップの柄に取り付けられる支持部と、前記支持部の、前記スコップの柄から離れた箇所に取り付けられるブレード部とを備え、前記ブレード部は、前記スコップの柄の鉛直線上に、大きさの異なる複数の前記境界杭のそれぞれを係止可能な少なくとも一つの切欠部を備えることを特徴とする引抜補助具。
【請求項３】
長手方向に段差を有する境界杭を地中から引き抜くことができるスコップであって、
スコップ本体の取手側端縁部に、大きさの異なる複数の前記境界杭のそれぞれをそれぞれ係止可能な複数の切欠部、または大きさの異なる前記境界杭のそれぞれを係止可能な少なくとも一つの切欠部を備えることを特徴とするスコップ。
【発明の詳細な説明】
【技術分野】
【０００１】
本発明は、長手方向に段差を有する境界杭を地中から引き抜く引抜補助具およびスコップに関し、詳しくは切欠部を段差に係止することで境界杭を地中から引き抜く引抜補助具およびスコップに関する。
【背景技術】
【０００２】
従来、埋設された境界杭を地中から引き抜く場合、境界杭周囲の土砂を取り除いた後、境界杭を水平方向に揺すっていた。境界杭を水平方向に揺することで、境界杭と土砂との摩擦抵抗を弱めた後、手を用いて地中から境界杭を引き抜いていた。
【０００３】
しかしながら、土砂の質によっては、揺することでは摩擦抵抗が弱まりにくい場合がある。この場合、土砂をより深く掘ることで摩擦抵抗を減らしていた。このような質の土砂を深く掘るには、大きな労力を必要としていた。土砂の掘りを甘くすると、地中から引き抜く場合に大きな力を必要とするので、やはり大きな労力を必要としていた。
【０００４】
より地中から境界杭を含む杭を容易に引き抜くことを目的として、特許文献１から３に記載された器具が知られている。特許文献１における器具は、クラッパーに設けられた歯車を杭の側面に咬み込みする。クラッパーと三角プレートとの間に杭を装着した後、ハンドル棒を押し下げることで、梃子の原理を用いて杭を地中から引き抜いている。
【０００５】
特許文献２における器具は、回転フックを杭に取り付け、回転フックに設けられたハンドルを回すことで杭を引き抜いている。特許文献３における器具は、２つのローラの間に杭を挿通した後、一方のローラに連結された回転ハンドルを回転させることで杭を引き抜いている。
【先行技術文献】
【特許文献】
【０００６】
【特許文献１】登録実用新案第３１４１５０４号公報
【特許文献２】登録実用新案第３１０５１９８号公報
【特許文献３】特開２００６−３０７５５１号公報
【発明の概要】
【発明が解決しようとする課題】
【０００７】
特許文献１における器具では、杭を咬み込む歯車が、クラッパーを介して三角プレートに固定されていた。そのため、杭の大きさによってはクラッパーと三角プレートとの間に杭を装着できない場合があった。特許文献２における器具では、回転フックを杭に取り付ける必要があるので、杭に回転フックを取り付ける構造がない場合には器具を利用できなかった。また、特許文献３における器具では、２つのローラの間隔を杭の大きさに応じて変えることができないので、杭の大きさが適当でない場合には利用できなかった。
【０００８】
本発明は、斯かる事情に鑑み、境界杭の大きさに影響されにくく、また境界杭を加工することなく地中から境界杭の引き抜きを容易にする引抜補助具およびスコップを提供することを課題とする。
【課題を解決するための手段】
【０００９】
本発明に係る引抜補助具は、長手方向に段差を有する境界杭をスコップを用いて地中から引き抜くためにスコップに取り付けられる引抜補助具であって、スコップのスコップ本体の取手側端縁部に係止可能に、スコップに取り付けられるブレード部を備え、ブレード部は、大きさの異なる複数の境界杭のそれぞれを係止可能な複数の切欠部、または大きさの異なる境界杭のそれぞれを係止可能な少なくとも一つの切欠部を備える。
【００１０】
かかる構成によれば、ブレード部に設けられた切欠部は、境界杭の段差を係止する。ブレード部がスコップの取手側端縁部側に切欠部の開口を有する場合、引抜補助具は、スコップの取手側端縁部と切欠部とで境界杭を係止する。スコップの柄に鉛直上方向の力を加えた場合、ブレード部は、スコップ本体の取手側端縁部に係止される。そして、スコップの柄に与えられた鉛直上方向の力は、ブレード部を介して、切欠部から境界杭に鉛直上方向の力として伝えられ、境界杭は、梃子の原理で地中から引き抜かれる。
【００１１】
また、本発明に係る引抜補助具は、長手方向に段差を有する境界杭をスコップを用いて地中から引き抜くためにスコップに取り付けられる引抜補助具であって、スコップの柄に取り付けられる支持部と、支持部の、スコップの柄から離れた箇所に取り付けられるブレード部とを備え、ブレード部は、スコップの柄の鉛直線上に、大きさの異なる複数の境界杭のそれぞれを係止可能な少なくとも一つの切欠部を備える。
【００１２】
かかる構成によれば、支持部がスコップに取り付けられると、ブレード部は、スコップの柄から離れた位置に位置する。ブレード部は、スコップの柄の鉛直線上に切欠部を有する。これにより、スコップの柄に掛けられた鉛直上方向の力は、力の分散なく切欠部から境界杭に鉛直上方向の力として伝わり、境界杭は、梃子の原理で地中から引き抜かれる。
【００１３】
また、本発明に係るスコップは、長手方向に段差を有する境界杭を地中から引き抜くことができるスコップであって、スコップ本体の取手側端縁部に、大きさの異なる複数の境界杭のそれぞれをそれぞれ係止可能な複数の切欠部、または大きさの異なる境界杭のそれぞれを係止可能な少なくとも一つの切欠部を備える。
【００１４】
かかる構成によれば、スコップ本体に設けられた切欠部は、境界杭の段差を係止する。そして、スコップの柄に与えられた鉛直上方向の力は、スコップ本体を介して、切欠部から境界杭に鉛直上方向の力として伝えられ、境界杭は、梃子の原理で地中から引き抜かれる。
【発明の効果】
【００１５】
以上の如く、本発明に係る引抜補助具およびスコップによれば、境界杭の大きさに影響されにくく、また境界杭を加工することなく地中から境界杭の引き抜きを容易にすることができるようになる。
【図面の簡単な説明】
【００１６】
【図１】本発明の一実施形態に係る引抜補助具の斜視図を示す。
【図２】同実施形態に係る引抜補助具が取り付けられたスコップであって、（ａ）は、引抜補助具が取り付けられたスコップの平面図、（ｂ）は、（ａ）のＡ−Ａ’断面図、（ｃ）は、引抜補助具が取り付けられたスコップの側面図を示す。
【図３】同実施形態に係る境界杭の側面図を示す。
【図４】同実施形態に係る切欠部をスコップ本体の取手側端縁部に備えるスコップの一部平面図を示す。
【図５】本発明の他の実施形態に係る引抜補助具の斜視図を示す。
【図６】同実施形態に係る引抜補助具が取り付けられたスコップであって、（ａ）は、引抜補助具が取り付けられたスコップの平面図、（ｂ）は、（ａ）のＢ−Ｂ’断面図、（ｃ）は、引抜補助具が取り付けられたスコップの側面図を示す。
【発明を実施するための形態】
【００１７】
以下、本発明に係る引抜補助具およびスコップにおける第１の実施形態について、図１〜図３を参酌して説明する。
【００１８】
図１は、第１の実施形態に係る引抜補助具１００の斜視図を示す。図２（ａ）は、引抜補助具１００が取り付けられたスコップ２００の平面図を示す。図２（ｂ）は、図２（ａ）のＡ−Ａ’断面図を示す。図２（ｃ）は、引抜補助具１００が取り付けられたスコップ２００の側面図を示す。図３は、境界杭３００の側面図を示す。
【００１９】
引抜補助具１００は、第１ブレード部１１０、第２ブレード部１２０、下蓋部１５０、ヒンジ部１６０、上蓋部１７０、および蝶ネジ１８０を備える。スコップ２００は、スコップ本体２１０、柄２２０、および取手２３０を備える。柄２２０は、一方の端部にスコップ２００本体を有し、スコップ本体４１０と反対側の端部に取手２３０を有する。境界杭３００は、標識部３１０、埋め込み部３２０、および段差３３０を備える。段差３３０は、標識部３１０および埋め込み部３２０の境界に設けられ、境界杭３００の長手方向に設けられる。
【００２０】
第１ブレード部１１０および第２ブレード部１２０は、上蓋部５１０を中心に一対に設けられている。第１ブレード部１１０および第２ブレード部１２０は、板状であるのが好ましい。
【００２１】
第１ブレード部１１０および第２ブレード部１２０は、大きさの異なる複数の境界杭３００のそれぞれをそれぞれ係止可能な第１切欠部１３０および第２切欠部１４０を有する。第１切欠部１３０および第２切欠部１４０は、略コの字形状に形成される。第１切欠部１３０は、境界杭３００の段差３３０を係止する第１当接部１３２、第２当接部１３４、および第３当接部１３６のそれぞれを有する。第２切欠部１４０は、境界杭３００の段差３３０を係止する第４当接部１４２、第５当接部１４４、および第６当接部１４６のそれぞれを有する。
【００２２】
下蓋部１５０は、ヒンジ部１６０を介して第２ブレード部１２０に取り付けられている。すなわち、下蓋部１５０は、上蓋部１７０に対して開閉自在に取り付けられている。蝶ネジ１８０は、第１ブレード部１１０および下蓋部１５０を挿通して設けられている。
【００２３】
本実施形態に係る引抜補助具１００の構成については以上の通りであり、次に、本実施形態に係る引抜補助具１００の作用について説明する。
【００２４】
境界杭３００の一部は、地中に埋設されている。すなわち、埋め込み部３２０および段差３３０は、地中に埋設されている。標識部３１０は、地上に露出することで、境界の位置を示す。
【００２５】
段差３３０は、スコップ２００を用いて土砂を取り除くことにより露出する。第１切欠部１３０または第２切欠部１４０は、露出した段差３３０を係止する。第１切欠部１３０および第２切欠部１４０は、境界杭３００の大きさに応じて選択的に利用される。選択された第１切欠部１３０または第２切欠部１４０は、境界杭３００の段差３３０を挟むようにして境界杭３００を係止する。たとえば、第１切欠部１３０が選択された場合、第１当接部１３２、第２当接部１３４、および第３当接部１３６は、境界杭３００の段差３３０に当接して境界杭３００を係止する。
【００２６】
上蓋部１７０は、スコップ２００の柄２２０の周方向に当接する。下蓋部１５０は、上蓋部５１０の当接していない、柄２２０の周方向に当接する。上蓋部１７０および下蓋部１５０が柄２２０に当接した後、蝶ネジ１８０は、第１ブレード部１１０および下蓋部１５０を係止する。
【００２７】
第１ブレード部１１０および第２ブレード部１２０は、スコップ２００のスコップ本体２１０の取手側端縁部に係止可能にスコップ２００に取り付けられる。たとえば、第１ブレード部１１０および第２ブレード部１２０は、境界杭３００を引き抜く場合にしなることで、スコップ本体２１０の取手側端縁部に係止してもよい。
【００２８】
引抜補助具１００は、スコップ本体２１０の取手側端縁部と、第１切欠部１３０または第２切欠部１４０とで境界杭３００の段差３３０を係止する位置に取り付けられる。たとえば、第１切欠部１３０が段差３３０の係止に選択された場合、第１当接部１３２、第２当接部１３４、第３当接部１３６、およびスコップ本体２１０の取手側端縁部で段差３３０を係止する。
【００２９】
スコップ２００が水平に揺らされた場合、引抜補助具１００は、水平に揺らす力を境界杭３００に与える。境界杭３００と土砂との摩擦係数が減らされた後、スコップ本体２１０の刃先は地面につけられる。柄２２０は、与えられた鉛直上方向の力を引抜補助具１００に伝える。第１ブレード部１１０または第２ブレード部１２０は、鉛直上方向の力を段差３３０に与え、梃子の原理を利用して境界杭３００を引き抜く。
【００３０】
以上より、本実施形態係る引抜補助具１００によれば、境界杭の大きさに応じて個々の器具を用意する場合に比べてコストがかからない。既成のスコップに取り付けることができるので、引き抜き専用の器具に比べ部品点数が少なく、安価かつ小型に製造できる。持ち運ぶ器具の数や大きさを減らすことができるので、地中から引き抜く境界杭まで器具を運ぶ労力を低減できる。境界杭の地中からの引き抜きに利用される以外は取り外されるので、スコップの機能を妨げない。
【００３１】
また、第１ブレード部１１０および第２ブレード部１２０がスコップ本体２１０の取手側端縁部に係止可能に取り付けられるので、スコップ２００を安定させて境界杭３００を引き抜くことができる。また、第１切欠部１３０または第２切欠部１４０は、スコップ本体２１０の取手側端縁部と段差３３０の全周囲を囲うように係止するので、境界杭３００を引き抜く場合にスコップ２００をより安定させることができる。
【００３２】
本実施形態に係る引抜補助具１００は、以下のような変形例を採用してもよい。
【００３３】
第１切欠部１３０および第２切欠部１４０は、それぞれ第１ブレード部１１０および第２ブレード部１２０の取手側端縁部に設けられていてもよい。この場合、第１切欠部１３０および第２切欠部１４０は、凸状、階段状、直角Ｖ字形状、または多段形状であってもよい。凸状、階段状、直角V字形状、または多段形状とすることで、第１切欠部１３０および第２切欠部１４０を一つの切欠部としてもよい。少なくとも一つの切欠部は、大きさの異なる境界杭３００のそれぞれを係止する。また、凸状、階段状、直角V字形状、または多段形状とすることで、第１切欠部１３０および第２切欠部１４０を一つの切欠部としてもよい。この場合、切欠部は、第１ブレード部１１０または第２ブレード部１２０の一方に設けられてよい。
【００３４】
このような変形例により、第１ブレード部１１０および第２ブレード部１２０は、スコップ本体２１０の取手側端縁部に係止可能に取り付けられるので、境界杭３００を引き抜く場合にスコップ２００を安定させることができる。
【００３５】
また、切欠部をスコップ２００の取手側端縁部に設けてもよい。たとえば、図４は、同実施形態に係る切欠部をスコップ本体４１０の取手側端縁部に備えるスコップの一部平面図を示す。スコップ４００は、スコップ本体４１０と、柄４２０と、柄４２０のスコップ本体４１０と反対側の端部に取手（図示しない）とを備える。スコップ本体４１０は、柄４２０の長手方向上、かつ取手側縁端部に切欠部４３０を有する。切欠部４３０は、それぞれが境界杭３００を係止する、第１当接部４４０、第２当接部４５０、第３当接部４６０、および第４当接部４７０、第５当接部４８０、および第６当接４９０を含む。
【００３６】
切欠部４３０は、大きさの異なる複数の境界杭３００のそれぞれを係止できる。たとえば、境界杭３００の段差３３０の幅が切欠部４３０の幅とほぼ同じ場合には、第３当接部４６０および第４当接部４７０は、境界杭３００を係止できる。段差３３０の幅が切欠部４３０の幅よりも狭い場合、第１当接部４４０および第２当接部４５０は、境界杭３００を係止できる。段差３３０の幅が切欠部４３０の幅よりも広い場合、第５当接部４８０および第６当接部４９０は、境界杭３００を係止できる。
【００３７】
このような変形例により、スコップ４００は、切欠部４３０を有するので、境界杭３００を地中から引き抜く一連の作業をスコップ４００から手を離さずに実現できる。そのため、作業時間を短縮できる。スコップ４００以外の器具を必要としないので、コストがかからず、さらには地中から引き抜く境界杭３００まで器具を運ぶ労力をよりかけずに済む。また、切欠部４３０は、柄４２０の長手方向上、かつ取手側端縁部に設けられているので、柄４２０に与えられた力を段差３３０に集中させて伝えることができ、スコップ４００を安定させられる。
【００３８】
また、切欠部は、スコップ２００のスコップ本体２１０の取手側端縁部に、大きさの異なる複数の境界杭３００のそれぞれをそれぞれ係止可能に複数設けられてよい。たとえば、切欠部は、柄２２０の長手方向に対して一対に設けられていてもよい。一対に設けられる場合、２つの切欠部のそれぞれは、異なる形状であるのが好ましい。たとえば、２つの切欠部のそれぞれは、凸状、階段状、直角Ｖ字形状、または多段形状のいずれか異なる２つの形状であることが好ましい。
【００３９】
このような変形例により、スコップ２００は、切欠部を有するので、境界杭３００を地中から引き抜く一連の作業をスコップ２００から手を離さずに実現できる。そのため、作業時間を短縮できる。スコップ２００以外の器具を必要としないので、コストがかからず、さらには地中から引き抜く境界杭３００まで器具を運ぶ労力をよりかけずに済む。
【００４０】
また、切欠部は、開口方向を柄の長手方向よりも外側に向けて設けられてもよい。切欠部は、柄２２０の長手方向により近い位置で境界杭３００を係止できる。また、切欠部は、スコップ本体２１０の柄２２０に近い位置に設けられてもよい。このような変形例により、境界杭３００を引き抜く場合に、スコップ２００は、柄２２０に与えられた力の分散を減少させられる。
【００４１】
次に、本発明に係る引抜補助具およびスコップにおける第２の実施形態について、図５および図６を参酌して説明する。なお、図５〜図６において、図１〜図４の符号と同一の符号を付した部分は、同一の構成又は要素を表す。
【００４２】
図５は、本発明の第２の実施形態に係る引抜補助具５００の斜視図を示す。図６は、同実施形態に係る引抜補助具５００が取り付けられたスコップ２００を示す。図６（ａ）は、引抜補助具５００が取り付けられたスコップ２００の平面図を示す。図６（ｂ）は、図６（ａ）のＢ−Ｂ’断面図を示す。図６（ｃ）は、引抜補助具５００が取り付けられたスコップ２００の側面図を示す。
【００４３】
引抜補助具５００は、上蓋部５１０と、支持部５２０と、ブレード部５３０と、蝶ネジ５５０とを備える。ブレード部５３０は、切欠部５４０を有する。
【００４４】
上蓋部５１０は、柄２２０の周方向に当接すべく湾曲している。上蓋部５１０は、蝶ネジ５５０を用いて、支持部５２０を係止する。支持部５２０は、引抜補助具５００のスコップ２００への係止により、スコップ２００の柄２２０から離れた箇所に取り付けられるブレード部５３０を備える。ブレード部５３０は、スコップ２００の柄２２０の鉛直線上に、大きさの異なる複数の境界杭３００のそれぞれを係止可能な少なくとも一つの切欠部５４０を有する。蝶ネジ５５０は、上蓋部５１０と支持部５２０とを係止する。詳しくは、蝶ネジ５５０は、支持部５２０の２箇所と上蓋部５１０の２箇所とをそれぞれ挿通することで上蓋部５１０と支持部５２０とを係止する。
【００４５】
切欠部５４０は、それぞれが境界杭３００を係止する、第１当接部５５５、第２当接部５６０、第３当接部５６５、第４当接部５７０、第５当接部５７５、および第６当接部５８０を含む。切欠部５４０の形状は、切欠部４００の形状と同じであり、作用は同一であるので説明を省略する。
【００４６】
本実施形態に係る引抜補助具５００の構成については以上の通りであり、次に、本実施形態に係る引抜補助具５００の作用について説明する。
【００４７】
段差３３０は、スコップ２００を用いて土砂を取り除くことにより露出する。上蓋部５１０は、柄２２０の周方向に沿って当接される。上蓋部５１０が柄２２０に当接された後、蝶ネジ５５０は、上蓋部５１０と支持部５２０とに挿通される。蝶ネジ５５０は、締められることで、上蓋部５１０の湾曲角を鋭角にする。すなわち、蝶ネジ５５０は、締められることで、上蓋部５１０の柄２２０への係止をより強くする。
【００４８】
支持部５２０は、蝶ネジ５５０が挿通されることで柄２２０に取り付けられる。支持部５２０は、蝶ネジ５５０を中心に回動可能に取り付けられる。切欠部５４０は、ブレード部５３０の回動により、段差３３０に係止される。
【００４９】
スコップ２００が水平に揺らされた場合、引抜補助具５００は、水平に揺らす力を境界杭３００に与える。境界杭３００と土砂との摩擦係数が減らされた後、スコップ本体２１０の刃先は地面につけられる。柄２２０は、与えられた鉛直上方向の力を引抜補助具５００に伝える。ブレード部５３０は、鉛直上方向の力を段差３３０に与え、梃子の原理を利用して境界杭３００を引き抜く。
【００５０】
以上より、本実施形態係る引抜補助具は、スコップ２００の柄２２０と鉛直線上に切欠部５４０を有するので、力の分散を減らすことができる。ブレード部５３０が回動可能に設けられているので、引抜補助具５００の柄２２０への取り付け後であっても、切欠部５４０は、段差３３０を容易に係止できる。
【００５１】
なお、本発明に係る引抜補助具およびスコップは、上記した実施の形態に限定されるものではなく、本発明の要旨を逸脱しない範囲内において種々変更を加え得ることは勿論である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記した実施形態に係る構成や方法等に採用してもよいことは勿論である。
【００５２】
第２実施形態において、切欠部５４０は、スコップ２００の柄２２０の鉛直線上であれば、複数設けられてもよい。たとえば、切欠部５４０は、柄２２０に対して取手側と、スコップ本体２１０側とに設けられてもよい。この場合、２つの切欠部５４０は、それぞれ異なる形状であることが望ましい。
【００５３】
以上により、本変形例の引抜補助具５００は、境界杭３００が埋設された土地の形状に応じて、いずれの切欠部５４０を利用するか選択できる。たとえば、境界杭３００が急な斜面に埋設されていた場合、適切な切欠部５４０を選択することで、一つの切欠部５４０を有する場合に比べて、より容易に境界杭３００を引き抜ける。
【符号の説明】
【００５４】
１００        引抜補助具
１１０        第１ブレード部
１２０        第２ブレード部
１３０        第１切欠部
１３２、４４０、５５５        第１当接部
１３４、４５０、５６０        第２当接部
１３６、４６０、５６５        第３当接部
１４０        第２切欠部
１４２、４７０、５７０        第４当接部
１４４、４８０、５７５        第５当接部
１４６、４９０、５８０        第６当接部
１５０、５２０        下蓋部
１６０        ヒンジ部
１７０、５１０        上蓋部
１８０、５５０        蝶ネジ
２００、４００        スコップ
２１０、４１０        スコップ本体
２２０、４２０        柄
２３０        取手
３００        境界杭
３１０        標識部
３２０        埋め込み部
３３０        段差
４３０、５４０        切欠部
５００        引抜補助具
５３０        ブレード部
【図１】
2011246980.tif 000003
【図２】
2011246980.tif 000004
【図３】
2011246980.tif 000005
【図４】
2011246980.tif 000006
【図５】
2011246980.tif 000007
【図６】
2011246980.tif 000008